【手続補正書】
【提出日】平成22年7月16日(2010.7.16)
【手続補正１】
【補正対象書類名】特許請求の範囲
【補正対象項目名】全文
【補正方法】変更
【補正の内容】
【特許請求の範囲】
【請求項１】
回転軸を規定する回転可能なシャフトを具えるナンバリングシリンダを有する印刷機でナンバリングを行うためのナンバリングシステムであって、
回転用に前記回転可能なシャフトに装着された少なくとも１の支持ディスク（１．４２）が、当該支持ディスク（１．４２）の周縁部に少なくとも１のナンバリング装置（１．０６；２．０６）を装着し、当該ナンバリング装置（１．０６；２．０６）がクランプ機構によって固定される周辺装置装着リング（１．４３）を具え、
当該周辺装置装着リング（１．４３）が 、当該周辺装置装着リング（１．４３）の各々の側面上にある１対の環状装着溝（１．４３ａ，１．４３ｂ）を規定するＴ字形状の断面を有し、前記ナンバリング装置（１．０６；２．０６）が、前記周辺装置装着リング上に前記ナンバリング装置（１．０６；２．０６）を固定するために、前記環状装着溝（１．４３ａ，１．４３ｂ）と連携するように適合された、前記ナンバリング装置（１．０６；２．０６）の各側面上にあるクランプ要素（１．５０；２．５０）を具えることを特徴とするナンバリングシステム。
【請求項２】
請求項１に記載のナンバリングシステムにおいて、前記クランプ要素がスプリング式クランプ要素（１．５０；２．５０）であることを特徴とするナンバリングシステム。
【請求項３】
請求項１に記載のナンバリングシステムにおいて、前記ナンバリング装置（１．０６）が前記周辺装置装着リング（１．４３）の各側面上に延在する１対の装着脚部（１．６１ａ，１．６１ｂ；２．６１ａ，２．６２ｂ）を具え、前記クランプ要素（１．５０；２．５０）が前記環状装着溝（１．４３ａ，１．４３ｂ）との連携のために前記装着脚部（１．６１ａ，１．６１ｂ；２．６１ａ，２．６２ｂ）上に装着されることを特徴とするナンバリングシステム。
【請求項４】
請求項１に記載のナンバリングシステムにおいて、前記ナンバリング装置（１．０６；２．０６）がＶ字形状装着部分（１．６１ｂ；１．６２ｂ）を具え、当該Ｖ字形状装着部分（１．６１ｂ；１．６２ｂ）が２の接触線に沿って前記周辺装置装着リング（１．４３）の周縁部と接触するように当該周辺装置装着リング（１．４３）の周縁部と連携する２のプレーナ装着面を伴うことを特徴とするナンバリングシステム。
【請求項５】
請求項１に記載のナンバリングシステムにおいて、各クランプ要素（１．５０）が、対応する前記環状装着溝（１．４３ａ；１．４３ｂ）のうちの１つと接合するフット部（１．５１ａ）を有するクランプ脚部（１．５１）を具えることを特徴とするナンバリングシステム。
【請求項６】
請求項３に記載のナンバリングシステムにおいて、各クランプ要素（１．５０）が、対応する前記環状装着溝（１．４３ａ，１．４３ｂ）のうちの１つと接合するフット部（１．５１ａ）と、前記装着脚部（１．６１ａ，１．６２ａ）の壁（１．６３ａ，１．６３ｂ）に接合するヒール部（１．５４ａ）とを有するクランプ脚部（１．５１）を具えることを特徴とするナンバリングシステム。
【請求項７】
請求項５又は６に記載のナンバリングシステムにおいて、前記クランプ要素がスプリング式クランプ要素（１．５０）であり、各クランプ要素（１．５０）が前記フット部（１．５１ａ）の逆側端部で前記クランプ脚部（１．５１）に固定されるヘッド部（１．５２）と、前記クランプ脚部（１．５１）の周りに配置されるスプリング（１．５３）とを更に具え、当該スプリング（１．５３）が前記ヘッド部分（１．５２）と、前記クランプ要素（１．５０）が装着される前記ナンバリング装置（１．０６）の一部分（１．６１ａ；１．６１ｂ）との間で、圧縮されることを特徴とするナンバリングシステム。
【請求項８】
請求項６に記載のナンバリングシステムにおいて、前記クランプ要素がスプリング式クランプ要素（１．５０）であり、前記ナンバリング装置（１．０６）が、前記装着脚部（１．６１ａ，１．６２ａ）の壁（１．６３ａ，１．６３ｂ）からヒール部（１．５４ａ）を分離するために前記支持ディスク（１．４２）の方に前記クランプ要素（１．５０）を押し、１８０度これらの要素を回転して、前記クランプ脚部（１．５１）が前記対応する環状装着溝（１．４３ａ，１．４３ｂ）から分離することによって、周辺装置装着リング（１．４３）から解放できるように、前記クランプ要素（１．５０）が設計されていることを特徴とするナンバリングシステム。
【請求項９】
請求項１に記載のナンバリングシステムにおいて、前記クランプ要素がスプリング式クランプ要素（１．５０）であり、前記ナンバリング装置（１．０６）が、前記環状装着溝（１．４３ａ，１．４３ｂ）に対する、前記クランプ要素（１．５０）により作用する圧力を解放するために、前記支持ディスク（１．４２）の方に前記クランプ要素（１．５０）を押すことによって前記周辺装置装着リング（１．４３）に沿って移動できるように、前記クランプ要素（１．５０）が設計されていることを特徴とするナンバリングシステム。
【請求項１０】
請求項２に記載のナンバリングシステムにおいて、前記スプリング式クランプ要素（１．５０）は、前記ナンバリング装置（１．０６）が前記周辺装置装着リング（１．４３）に堅く固定されている場合の高圧縮状態と、前記ナンバリング装置（１．０６）が前記周辺装置装着リング（１．４３）の適所に保持されるが、前記支持ディスク（１．４２）の円周に沿って前記ナンバリング装置（１．０６）の位置調節を更に可能にする場合の低圧縮状態との間を切り替えできることを特徴とするナンバリングシステム。
【請求項１１】
請求項１に記載のナンバリングシステムにおいて、各クランプ要素（２．５０）が、対応する前記環状装着溝（１．４３ａ，１．４３ｂ）のうちの１つと接合するフック部（２．５１ａ）を有する旋回可能なクランプレバー（２．５１）を具えることを特徴とするナンバリングシステム。
【請求項１２】
請求項１１に記載のナンバリングシステムにおいて、前記クランプ要素がスプリング式クランプ要素（２．５０）であり、スプリング（２．５３）が、前記クランプレバー（２．５１）のフック部（２．５１ａ）を前記対応する環状装着溝（１．４３ａ；１．４３ｂ）に押しこむために、前記ナンバリング装置（２．０６）の側面と前記クランプレバー（２．５１）との間に配置されることを特徴とするナンバリングシステム。
【請求項１３】
請求項１２に記載のナンバリングシステムにおいて、各クランプレバー（２．５１）が当該レバー（２．５１）の上端に力（Ｆ３）を印加することによって手動で開放できるような寸法にされることを特徴とするナンバリングシステム。
【請求項１４】
請求項１１に記載のナンバリングシステムにおいて、前記周辺装置装着リング（１．４３）の内表面（１．４３ｃ）が円錐形であり、前記ナンバリングシリンダの回転軸に対し正の角度（θ）を呈することを特徴とするナンバリングシステム。
【請求項１５】
請求項１４に記載のナンバリングシステムにおいて、前記角度（θ）が前記クランプレバー（２．５１）のフック部（２．５１ａ）と、前記周辺装置装着リング（１．４３）の内表面（１．４３ｃ）との間の摩擦係数（ｃｆ）のアークタンジェント（γ）に実質的に対応するように選択されることを特徴とするナンバリングシステム。
【請求項１６】
請求項１４又は１５に記載のナンバリングシステムにおいて、前記クランプレバー（２．５１）の回転軸（２．５２）、及び、前記クランプレバー（２．５１）のフック部（２．５１ａ）と、前記周辺装置装着リング（１．４３）の内表面（１．４３ｃ）との間の接触点（Ｃ）と交差するライン（ａ１）が、前記ナンバリングシリンダの回転軸と垂直な鉛直ライン（ａ２）に対して角度（α）を形成することを特徴とするナンバリングシステム。
【請求項１７】
請求項１１乃至１５のいずれか１項に記載のナンバリングシステムにおいて、各クランプ要素（２．５０）が、シャフト（２．５２）によって前記ナンバリング装置（２．０６）の一部分（２．６１ａ；２．６２ａ）の上に設けられた軸受に装着され、前記シャフト（２．５２）が固定要素（２．５４）によって前記クランプレバー（２．５１）へ不動に固定されることを特徴とするナンバリングシステム。
【請求項１８】
請求項１乃至６及び８乃至１５のいずれか１項に記載のナンバリングシステムにおいて、各ナンバリング装置（２．０６）が、各環状装着溝（１．４３ａ；１．４３ｂ）との連携のための２のクランプ要素（２．５０）を具えることを特徴とするナンバリングシステム。
【請求項１９】
請求項１乃至１８のいずれか１項に記載の少なくとも１のナンバリングシステムを具える印刷機。
【請求項２０】
請求項１乃至１８のいずれか１項に記載のナンバリングシステム用のナンバリング装置であって、当該ナンバリング装置（１．０６；２．０６）が、前記ナンバリングシリンダ上に前記ナンバリング装置（１．０６；２．０６）を固定するために、前記Ｔ字形状の周辺装置装着リング（１．４３）の前記環状装着溝（１．４３ａ，１．４３ｂ）と連携するように適合された、前記ナンバリング装置（１．０６；２．０６）の各側面上にあるクランプ要素（１．５０；２．５０）を具えることを特徴とするナンバリング装置。
【請求項２１】
請求項２０に記載のナンバリング装置において、前記クランプ要素がスプリング式クランプ要素（１．５０；２．５０）であることを特徴とするナンバリング装置。